(57)【特許請求の範囲】
【請求項１】
端末同士の呼接続を交換する移動交換装置が、狭域高速無線通信ネットワーク側のアクセスポイント制御装置と、回線交換ネットワーク側の基地局制御装置とに接続され、前記移動交換装置と前記アクセスポイント制御装置及び前記基地局制御装置それぞれとの間で、回線交換呼制御プロトコルによって呼制御シーケンスを実行するシステムについて、前記基地局制御装置に接続された発呼側端末から、前記アクセスポイント制御装置に接続された着呼側端末を呼び出す端末呼び出し方法であって、
前記移動交換装置が、前記発呼側端末から前記基地局制御装置を介して受信した呼び出し要求メッセージを前記アクセスポイント制御装置へ送信し、該アクセスポイント制御装置が、セッション開始メッセージを前記着呼側端末へ送信する第１のステップと、
前記着呼側端末が、前記セッション開始メッセージに対する送達確認オプションを付した暫定応答メッセージを前記アクセスポイント制御装置へ送信し、該アクセスポイント制御装置が、呼び出し応答メッセージを前記移動交換装置へ送信する第２のステップと、
前記アクセスポイント制御装置と前記移動交換装置との間で、通信割り当てメッセージを交換する第３のステップと、
前記アクセスポイント制御装置が、暫定応答確認メッセージを前記着呼側端末へ送信する第４のステップと、
前記着呼側端末が、前記暫定応答確認メッセージに対する成功応答メッセージを前記アクセスポイント制御装置へ送信し、該アクセスポイント制御装置が、接続完了メッセージを前記移動交換装置へ送信する第５のステップと
を有することを特徴とする端末呼び出し方法。
【請求項２】
第１のステップについて、前記着信側端末は、前記セッション開始メッセージを受信しても、着信音を鳴動させず、
第４のステップについて、前記着信側端末は、前記暫定応答確認メッセージを受信した際に、前記着信音を鳴動させることを特徴とする請求項１に記載の無線端末呼び出し方法。
【請求項３】
前記着信側端末と前記アクセスポイント制御装置との間には、ＩＰ呼制御プロトコルＳＩＰ(Session Initiation Protocol)が用いられていることを特徴とする請求項１又は２に記載の端末呼び出し方法。
【請求項４】
前記回線交換呼制御プロトコルに基づいて、
前記呼び出し要求メッセージは、Paging Requestメッセージであり、
前記呼び出し応答メッセージは、Paging Responseメッセージであり、
前記接続完了メッセージは、Connectメッセージであり、
前記ＳＩＰに基づいて、
前記セッション開始メッセージは、SIP INVITEメッセージであり、
前記暫定応答メッセージは、1xx(Require:100rel)メッセージであり、
前記暫定応答確認メッセージは、PRACK Requestメッセージであり、
前記成功応答メッセージは、200OKメッセージである
ことを特徴とする請求項３に記載の端末呼び出し方法。
【請求項５】
前記狭域高速無線通信ネットワークは、無線ＬＡＮ(Local Area Network)又はブルートゥースであり、
前記回線交換ネットワークは、無線ＷＡＮ(Wide Area Network)又は固定有線回線であることを特徴とする請求項１から４のいずれか１項に記載の端末呼び出し方法。
【請求項６】
端末同士の呼接続を交換する移動交換装置が、狭域高速無線通信ネットワーク側のアクセスポイント制御装置と、回線交換ネットワーク側の基地局制御装置とに接続され、前記移動交換装置と前記アクセスポイント制御装置及び前記基地局制御装置それぞれとの間で、回線交換呼制御プロトコルによって呼制御シーケンスを実行するシステムについて、前記基地局制御装置に接続された発呼側端末から、前記アクセスポイント制御装置に接続された着呼側端末を呼び出すためのアクセスポイント制御装置であって、
前記移動交換装置から、前記発呼側端末からの前記基地局制御装置を介した呼び出し要求メッセージを受信した際に、セッション開始メッセージを前記着呼側端末へ送信する呼び出し要求処理手段と、
前記着呼側端末から前記セッション開始メッセージに対する送達確認オプションを付した暫定応答メッセージを受信した際に、呼び出し応答メッセージを前記移動交換装置へ送信する呼び出し応答処理手段と、
前記移動交換装置との間で通信割り当てメッセージを交換する通信割り当て手段と、
暫定応答確認メッセージを前記着呼側端末へ送信する接続要求処理手段と、
前記着呼側端末から前記暫定応答確認メッセージに対する成功応答メッセージを受信した際に、接続完了メッセージを前記移動交換装置へ送信する接続完了処理手段と
を有することを特徴とするアクセスポイント制御装置。
【請求項７】
前記端末との間には、ＩＰ呼制御プロトコルＳＩＰが用いられていることを特徴とする請求項６に記載のアクセスポイント制御装置。
【請求項８】
前記回線交換呼制御プロトコルに基づいて、
前記呼び出し要求メッセージは、Paging Requestメッセージであり、
前記呼び出し応答メッセージは、Paging Responseメッセージであり、
前記接続完了メッセージは、Connectメッセージであり、
前記ＳＩＰに基づいて、
前記セッション開始メッセージは、SIP INVITEメッセージであり、
前記暫定応答メッセージは、1xx(Require:100rel)メッセージであり、
前記暫定応答確認メッセージは、PRACK Requestメッセージであり、
前記成功応答メッセージは、200OKメッセージである
ことを特徴とする請求項７に記載のアクセスポイント制御装置。
【請求項９】
前記狭域高速無線通信ネットワークは、無線ＬＡＮ又はブルートゥースであり、
前記回線交換ネットワークは、無線ＷＡＮ又は固定有線回線であることを特徴とする請求項６から８のいずれか１項に記載のアクセスポイント制御装置。
【請求項１０】
請求項６から９のいずれか１項に記載のアクセスポイント制御装置と通信する端末であって、
前記アクセスポイント制御装置から前記セッション開始メッセージを受信した際、該セッション開始メッセージに対する送達確認オプションを付した暫定応答メッセージを、前記アクセスポイント制御装置へ返信する呼び出し処理手段と、
前記アクセスポイント制御装置から前記暫定応答確認メッセージを受信した際に、該暫定応答確認メッセージに対する成功応答メッセージを、前記アクセスポイント制御装置へ返信する接続処理手段と
を有することを特徴とする端末。
【請求項１１】
当該利用者に対して着信音を鳴動させる着信音鳴動手段を有しており、
前記呼び出し処理手段は、前記着信音鳴動手段に対して着信音を鳴動させないように制御し、
前記接続処理手段は、前記着信音鳴動手段に対して着信音を鳴動させるように制御する
ことを特徴とする請求項１０に記載の端末。
【請求項１２】
前記アクセスポイント制御装置との間を、無線ＬＡＮ又はブルートゥースによって接続することを特徴とする請求項１０又は１１に記載の端末。
【請求項１３】
端末同士の呼接続を交換する移動交換装置が、狭域高速無線通信ネットワーク側のアクセスポイント制御装置と、回線交換ネットワーク側の基地局制御装置とに接続され、前記移動交換装置と前記アクセスポイント制御装置及び前記基地局制御装置それぞれとの間で、回線交換呼制御プロトコルによって呼制御シーケンスを実行するシステムについて、前記基地局制御装置に接続された発呼側端末から、前記アクセスポイント制御装置に接続された着呼側端末を呼び出すためのアクセスポイント制御装置に搭載されたコンピュータを機能させるプログラムであって、
前記移動交換装置から、前記発呼側端末からの前記基地局制御装置を介した呼び出し要求メッセージを受信した際に、セッション開始メッセージを前記着呼側端末へ送信する呼び出し要求処理手段と、
前記着呼側端末から前記セッション開始メッセージに対する送達確認オプションを付した暫定応答メッセージを受信した際に、呼び出し応答メッセージを前記移動交換装置へ送信する呼び出し応答処理手段と、
前記移動交換装置との間で通信割り当てメッセージを交換する通信割り当て手段と、
暫定応答確認メッセージを前記着呼側端末へ送信する接続要求処理手段と、
前記着呼側端末から前記暫定応答確認メッセージに対する成功応答メッセージを受信した際に、接続完了メッセージを前記移動交換装置へ送信する接続完了処理手段と
してコンピュータを機能させることを特徴とするアクセスポイント制御装置用のプログラム。
【請求項１４】
請求項６から９のいずれか１項に記載のアクセスポイント制御装置と通信する端末に搭載されたコンピュータを機能させるプログラムであって、
前記アクセスポイント制御装置から前記セッション開始メッセージを受信した際、該セッション開始メッセージに対する送達確認オプションを付した暫定応答メッセージを、前記アクセスポイント制御装置へ返信する呼び出し処理手段と、
前記アクセスポイント制御装置から前記暫定応答確認メッセージを受信した際に、該暫定応答確認メッセージに対する成功応答メッセージを、前記アクセスポイント制御装置へ返信する接続処理手段と
してコンピュータを機能させることを特徴とする端末用のプログラム。
【発明の詳細な説明】
【技術分野】
【０００１】
本発明は、呼接続時の端末呼び出し方法、アクセスポイント制御装置、端末及びプログラムに関する。特に、携帯電話通信システムのような回線交換ネットワークに、ＩＰ呼制御プロトコルを用いて呼接続する技術に関する。
【背景技術】
【０００２】
近年、移動通信については、携帯電話通信システムに代表される無線ＷＡＮ(Wide Area Network)が普及している。無線ＷＡＮを用いた音声通話には、回線交換呼制御プロトコルが用いられている。一方で、固定通信については、ＩＰ(Internet Protocol)を用いたＩＰ電話機への移行が進んできている。ＩＰ電話システムにおける呼制御プロトコルには、通常、ＳＩＰ(Session Initiation Protocol)が用いられる。
【０００３】
また、個人宅内、会社及び公共施設（空港、喫茶店、ホテル等）に、多くのアクセスポイントが設置されてきている。これらアクセスポイントは、無線ＬＡＮ又はブルートゥースのような狭域高速無線ネットワーク用である。無線端末は、アクセスポイントと通信可能な位置に存在する場合、無線ＷＡＮよりも高速な無線ＬＡＮ（以下「ブルートゥース」も含むものとする）を介して、ＳＩＰを用いて呼接続することができる。即ち、無線端末は、屋内のようなアクセスポイントと通信可能なエリアでは、無線ＬＡＮ通信インタフェースによってＳＩＰを用いて呼接続し、屋外ではセルラ通信インタフェースによって無線ＷＡＮを介して呼接続することができる。このような技術は、ＦＭＣ(Fixed Mobile Convergence)を利用するＯｎｅＰｈｏｎｅサービスで用いられている（例えば非特許文献１参照）。
【０００４】
これを実現するために、アクセスポイントを、インターネット（ＩＰネットワーク）を介して、携帯電話通信システムに設置された制御装置に接続する技術がある（例えば非特許文献２参照）。この無線端末は、回線交換呼制御プロトコルのメッセージをＩＰパケットにカプセル化し、無線ＬＡＮを介してそのパケットを制御装置へ送信する。制御装置は、そのＩＰカプセルから取り出した回線交換呼制御プロトコルのメッセージを、無線ＷＡＮを介して移動交換装置へ送信する。これによって、無線ＷＡＮを介した回線交換呼制御プロトコルに基づく音声通話と、無線ＬＡＮを介したＩＰに基づく音声通話との両方を可能とする。屋外では基地局を介して携帯電話通信システムに接続し、屋内ではアクセスポイントを介してインターネットを経由して携帯電話通信システムに接続することができる。
【０００５】
また、ＩＰ技術を用いて構築される次世代無線ＷＡＮを、回線交換ネットワークであって音声通話に用いられている既存の無線ＷＡＮに相互に接続する制御装置の技術もある（例えば非特許文献３参照）。この技術によれば、無線端末は、屋内では無線ＬＡＮを介してＳＩＰを用いて呼接続でき、屋外では無線ＷＡＮを介して従来の回線交換呼制御プロトコルを用いて呼接続できる。
【０００６】
更に、オールＩＰネットワークの技術を前提として、モバイルＩＰ及びＳＩＰのような移動管理プロトコルを用いて、その時々に最適な通信システムに切り替えることで、ＯｎｅＰｈｏｎｅサービスを実現する技術もある（例えば非特許文献４及び５参照）。
【０００７】
更に、１つの無線端末が、携帯電話通信システムを用いたＩＰデータ通信と、無線ＬＡＮを用いたＩＰデータ通信とを切り替える技術もある（例えば特許文献１及び２参照）。
【０００８】
ここで、回線交換呼制御プロトコルにおける呼接続時の着信シーケンスについて説明する。
【０００９】
図１は、ＣＤＭＡ２０００の移動通信システムにおける呼接続時の着信シーケンスである。また、図２は、ＧＳＭ(Global System for Mobile communications)の移動通信システムにおける呼接続時の着信シーケンスである。
【００１０】
図１及び図２によれば、移動交換装置(ＭＳＣ：Mobile Switching Center)１１は、基地局(ＢＳ：Base Station)４を介して無線端末(ＭＳ：Mobile Station)２と呼接続する。最初に、移動交換装置１１は、着信すべき無線端末に向けて、ページング要求を送信する（Ｓ１０１、Ｓ２０１）。無線端末２がその基地局４のサービスエリアに在圏している場合、移動交換装置１１は、その無線端末２から、基地局４を介してページング応答を受信する（Ｓ１０２、Ｓ２０２）。その後、無線リソースの予約・認証シーケンスが実行される（Ｓ１０３、Ｓ２０３）。そのシーケンスが終了した際に、アラートによって、無線端末２は、着信音を鳴動させる（Ｓ１０４、Ｓ２０４）。そして、利用者が無線端末２に対してオフフックの操作（通話ボタンの押下）をすると、無線端末２は、接続命令を基地局４へ送信する（Ｓ１０５、Ｓ２０５）。最後に、基地局４は、接続完了メッセージを移動交換装置１１へ送信する（Ｓ１０６、Ｓ２０６）。これによって、着信シーケンスが終了し、移動交換装置１１を介して、着信側の無線端末２と、発信側の相手方通信端末との間で呼が接続される。尚、ページメッセージは、同一ページングエリアに属する複数の基地局３に向けて、図示せぬ基地局制御装置（ＢＳＣ：Base Station Controller）から送信されるものであるが、ここでは簡単にするために、１つの基地局４しか図示していない。
【００１１】
図１及び図２からも明らかなとおり、既存の携帯電話通信システムにおける回線交換呼制御プロトコルによれば、「移動通信」という観点から、第１に、着信側端末の在圏を確認し、第２に、リソース予約・認証メッセージを交換し、第３に、その端末へ着信の存在を通知する、というシーケンスを実行する。
【００１２】
【特許文献１】特開２００５−１９２１６３号公報
【特許文献２】特開２００４−２５４２７８号公報
【非特許文献１】ビジネス＋ＩＴ、ＩＴアーキテクト月間連載、「ＮＧＮとは何か（４）：ＮＧＮに向けたＦＭＣ」、２００７年７月９日、[online]、［平成１９年１１月１３日検索］、インターネット＜ＵＲＬ：http://www.sbbit.jp/article/5544/＞
【非特許文献２】Unlicensed Mobile Access (UMA); Architecture (Stage2); R1.0.4 (2005-5-2)
【非特許文献３】3GPP Technical Specification Group Services and System Aspects; Voice Call Continuity (VCC) between Circuit Switched (CS) and IP Multimedia Subsystem (IMS); Stage 2 (Release 7); 3GPP TS 23.206 V7.3.0(2007-06)
【非特許文献４】Johnson, D., C. Perins, and J. Arkko, “Mobility Support in IPv6,” RFC3775, Jun. 2004.
【非特許文献５】E. Wedlund and H. Schulzrinne, “Mobility Support using SIP,” WoWMoM’99, Aug. 1999.
【発明の開示】
【発明が解決しようとする課題】
【００１３】
前述したように、回線交換呼接続プロトコルによれば、着信時の呼び出し要求としてページング要求が規定されているのに対し、ＳＩＰにはそのようなメッセージが無い。従って、既存の回線交換呼制御プロトコルとの互換性を確保する必要がある。新たにページング要求やページング応答に相当するＳＩＰメッセージを導入することもできるが、新たなメッセージの導入は、既存のＳＩＰ対応機器に対する互換性を損なうこととなる。
【００１４】
非特許文献４及び５に記載された技術によれば、その移動管理プロトコルはオールＩＰネットワークを前提としており、特許文献１及び２に記載された技術であっても、携帯電話通信システム及び無線ＬＡＮの両方でＩＰデータを送受信するものである。しかしながら、これら技術は、回線交換呼制御プロトコルを用いる既存の携帯電話通信システムのような無線ＷＡＮには適用できない。
【００１５】
また、非特許文献２に記載された技術によれば、無線端末は、制御装置へ送信すべき回線交換呼制御プロトコルのメッセージをカプセル化する機能部を備える必要がある。しかしながら、既存のＩＰ電話システムでは、標準技術であるＳＩＰを用いることが殆どである。無線端末の機器コストの観点からは、ＳＩＰ機能のみを備えることが好ましい。別途カプセル化機能を備えることは、高コスト化につながる。
【００１６】
更に、非特許文献３に記載された技術によれば、無線ＷＡＮがＩＰ化されていることを前提としており、具体的にはＩＭＳ(IP Multimedia Subsystem)と称されるＩＰに基づくマルチメディアサブシステムを利用しなければ実現できない。即ち、既存の携帯電話通信システムの無線ＷＡＮに適用できる技術ではない。
【００１７】
そこで、本発明によれば、無線ＬＡＮを介して接続するＳＩＰを備えた無線端末を、回線交換呼接続プロトコルを用いた携帯電話通信システムのような既存の無線ＷＡＮに接続する際に、システムアーキテクチャを簡易にして低コスト化を実現すると共に、その無線端末への着信時に、既存の携帯電話通信システムと同様の操作性を実現する端末呼び出し方法、アクセスポイント制御装置、端末及びプログラムを提供することを目的とする。
【課題を解決するための手段】
【００１８】
本発明によれば、端末同士の呼接続を交換する移動交換装置が、狭域高速無線通信ネットワーク側のアクセスポイント制御装置と、回線交換ネットワーク側の基地局制御装置とに接続され、移動交換装置とアクセスポイント制御装置及び基地局制御装置それぞれとの間で、回線交換呼制御プロトコルによって呼制御シーケンスを実行するシステムについて、基地局制御装置に接続された発呼側端末から、アクセスポイント制御装置に接続された着呼側端末を呼び出す端末呼び出し方法であって、
移動交換装置が、発呼側端末から基地局制御装置を介して受信した呼び出し要求メッセージをアクセスポイント制御装置へ送信し、該アクセスポイント制御装置が、セッション開始メッセージを着呼側端末へ送信する第１のステップと、
着呼側端末が、セッション開始メッセージに対する送達確認オプションを付した暫定応答メッセージをアクセスポイント制御装置へ送信し、該アクセスポイント制御装置が、呼び出し応答メッセージを移動交換装置へ送信する第２のステップと、
アクセスポイント制御装置と移動交換装置との間で、通信割り当てメッセージを交換する第３のステップと、
アクセスポイント制御装置が、暫定応答確認メッセージを着呼側端末へ送信する第４のステップと、
着呼側端末が、暫定応答確認メッセージに対する成功応答メッセージをアクセスポイント制御装置へ送信し、該アクセスポイント制御装置が、接続完了メッセージを移動交換装置へ送信する第５のステップと
を有することを特徴とする。
【００１９】
本発明の端末呼び出し方法における他の実施形態によれば、
第１のステップについて、着信側端末は、セッション開始メッセージを受信しても、着信音を鳴動させず、
第４のステップについて、着信側端末は、暫定応答確認メッセージを受信した際に、着信音を鳴動させることも好ましい。
【００２０】
本発明の端末呼び出し方法における他の実施形態によれば、
着信側端末とアクセスポイント制御装置との間には、ＩＰ呼制御プロトコルＳＩＰ(Session Initiation Protocol)が用いられていることも好ましい。
【００２１】
本発明の端末呼び出し方法における他の実施形態によれば、
回線交換呼制御プロトコルに基づいて、
呼び出し要求メッセージは、Paging Requestメッセージであり、
呼び出し応答メッセージは、Paging Responseメッセージであり、
接続完了メッセージは、Connectメッセージであり、
ＳＩＰに基づいて、
セッション開始メッセージは、SIP INVITEメッセージであり、
暫定応答メッセージは、1xx(Require:100rel)メッセージであり、
暫定応答確認メッセージは、PRACK Requestメッセージであり、
成功応答メッセージは、200OKメッセージである
ことも好ましい。
【００２３】
本発明の端末呼び出し方法における他の実施形態によれば、
狭域高速無線通信ネットワークは、無線ＬＡＮ又はブルートゥースであり、
回線交換ネットワークは、無線ＷＡＮ又は固定有線回線であることも好ましい。
【００２４】
本発明によれば、端末同士の呼接続を交換する移動交換装置が、狭域高速無線通信ネットワーク側のアクセスポイント制御装置と、回線交換ネットワーク側の基地局制御装置とに接続され、移動交換装置とアクセスポイント制御装置及び基地局制御装置それぞれとの間で、回線交換呼制御プロトコルによって呼制御シーケンスを実行するシステムについて、基地局制御装置に接続された発呼側端末から、アクセスポイント制御装置に接続された着呼側端末を呼び出すためのアクセスポイント制御装置であって、
移動交換装置から、発呼側端末からの基地局制御装置を介した呼び出し要求メッセージを受信した際に、セッション開始メッセージを着呼側端末へ送信する呼び出し要求処理手段と、
着呼側端末からセッション開始メッセージに対する送達確認オプションを付した暫定応答メッセージを受信した際に、呼び出し応答メッセージを移動交換装置へ送信する呼び出し応答処理手段と、
移動交換装置との間で通信割り当てメッセージを交換する通信割り当て手段と、
暫定応答確認メッセージを着呼側端末へ送信する接続要求処理手段と、
着呼側端末から暫定応答確認メッセージに対する成功応答メッセージを受信した際に、接続完了メッセージを移動交換装置へ送信する接続完了処理手段と
を有することを特徴とする。
【００２５】
本発明の制御装置における他の実施形態によれば、
端末との間には、ＩＰ呼制御プロトコルＳＩＰが用いられていることも好ましい。
【００２６】
本発明の制御装置における他の実施形態によれば、
回線交換呼制御プロトコルに基づいて、
呼び出し要求メッセージは、Paging Requestメッセージであり、
呼び出し応答メッセージは、Paging Responseメッセージであり、
接続完了メッセージは、Connectメッセージであり、
ＳＩＰに基づいて、
セッション開始メッセージは、SIP INVITEメッセージであり、
暫定応答メッセージは、1xx(Require:100rel)メッセージであり、
暫定応答確認メッセージは、PRACK Requestメッセージであり、
成功応答メッセージは、200OKメッセージである
ことも好ましい。
【００２８】
本発明の制御装置における他の実施形態によれば、
狭域高速無線通信ネットワークは、無線ＬＡＮ又はブルートゥースであり、
回線交換ネットワークは、無線ＷＡＮ又は固定有線回線であることも好ましい。
【００２９】
本発明によれば、前述したアクセスポイント制御装置と通信する端末であって、
アクセスポイント制御装置からセッション開始メッセージを受信した際、該セッション開始メッセージに対する送達確認オプションを付した暫定応答メッセージを、アクセスポイント制御装置へ返信する呼び出し処理手段と、
アクセスポイント制御装置から暫定応答確認メッセージを受信した際に、該暫定応答確認メッセージに対する成功応答メッセージを、アクセスポイント制御装置へ返信する接続処理手段と
を有することを特徴とする。
【００３０】
本発明の端末における他の実施形態によれば、
当該利用者に対して着信音を鳴動させる着信音鳴動手段を有しており、
呼び出し処理手段は、着信音鳴動手段に対して着信音を鳴動させないように制御し、
接続処理手段は、着信音鳴動手段に対して着信音を鳴動させるように制御することも好ましい。
【００３１】
本発明の端末における他の実施形態によれば、
アクセスポイント制御装置との間を、無線ＬＡＮ又はブルートゥースによって接続することも好ましい。
【００３２】
本発明によれば、端末同士の呼接続を交換する移動交換装置が、狭域高速無線通信ネットワーク側のアクセスポイント制御装置と、回線交換ネットワーク側の基地局制御装置とに接続され、移動交換装置とアクセスポイント制御装置及び基地局制御装置それぞれとの間で、回線交換呼制御プロトコルによって呼制御シーケンスを実行するシステムについて、基地局制御装置に接続された発呼側端末から、アクセスポイント制御装置に接続された着呼側端末を呼び出すためのアクセスポイント制御装置に搭載されたコンピュータを機能させるプログラムであって、
移動交換装置から、発呼側端末からの基地局制御装置を介した呼び出し要求メッセージを受信した際に、セッション開始メッセージを着呼側端末へ送信する呼び出し要求処理手段と、
着呼側端末からセッション開始メッセージに対する送達確認オプションを付した暫定応答メッセージを受信した際に、呼び出し応答メッセージを移動交換装置へ送信する呼び出し応答処理手段と、
移動交換装置との間で通信割り当てメッセージを交換する通信割り当て手段と、
暫定応答確認メッセージを着呼側端末へ送信する接続要求処理手段と、
着呼側端末から暫定応答確認メッセージに対する成功応答メッセージを受信した際に、接続完了メッセージを移動交換装置へ送信する接続完了処理手段と
してコンピュータを機能させることを特徴とする。
【００３３】
本発明によれば、前述したアクセスポイント制御装置と通信する端末に搭載されたコンピュータを機能させるプログラムであって、
アクセスポイント制御装置からセッション開始メッセージを受信した際、該セッション開始メッセージに対する送達確認オプションを付した暫定応答メッセージを、アクセスポイント制御装置へ返信する呼び出し処理手段と、
アクセスポイント制御装置から暫定応答確認メッセージを受信した際に、該暫定応答確認メッセージに対する成功応答メッセージを、アクセスポイント制御装置へ返信する接続処理手段と
してコンピュータを機能させることを特徴とする。
【発明の効果】
【００３４】
本発明の端末呼び出し方法、アクセスポイント制御装置、無線端末及びプログラムによれば、無線ＬＡＮを介して接続するＳＩＰを備えた無線端末を、回線交換呼接続プロトコルを用いた携帯電話通信システムのような既存の無線ＷＡＮに接続する際に、システムアーキテクチャを簡易にして低コスト化を実現すると共に、その無線端末への着信時に、既存の携帯電話通信システムと同様の操作性を実現する。本発明の構成によれば、アクセスポイント制御装置を備えるだけある。また、着信時に、利用者が無線端末に対してオフフックの操作をすると直ぐに通話が可能となる。更に、回線交換呼接続プロトコルに対応して特別のＳＩＰメッセージを設ける必要もない。
【発明を実施するための最良の形態】
【００３５】
以下では、図面を用いて、本発明を実施するための最良の形態について詳細に説明する。
【００３６】
図３は、本発明におけるシステム構成図である。
【００３７】
図３によれば、通信事業者設備システム１は、アクセスポイント制御装置（ＢＳＣ−ＧＷ：Base Station Controller - GateWay）１０と、移動交換装置１１と、基地局制御装置（ＢＳＣ）１２と、パケット制御機能装置（ＰＣＦ：Packet Control Function）１３と、加入者情報データベース１４とを有する。また、基地局制御装置１２には、無線ＷＡＮの基地局４が接続され、パケット制御機能装置１３には、有線ＩＰネットワークのＰＤＳＮ(Packet Data Signaling Node)５が接続され、アクセスポイント制御装置１０には、無線ＬＡＮ（又はブルートゥース）のアクセスポイント３が接続されている。基地局制御装置１２及び基地局４は、回線交換呼接続プロトコルを用いた既存の携帯電話通信システムそのものである。また、アクセスポイント制御装置１０及びアクセスポイント３は、ＳＩＰを用いた無線ＬＡＮ（又はブルートゥース）通信システムである。
【００３８】
移動交換装置１１は、アクセスポイント制御装置１０及び基地局制御装置１２との間で、携帯電話通信システムにおける回線交換呼制御プロトコルのメッセージを交換する。また、移動交換装置１１は、呼接続のための加入者情報を、加入者情報データベース１４から取得する。本発明によれば、移動交換装置１１は、既存のものであって、特別な機能を搭載する必要はない。
【００３９】
アクセスポイント制御装置１０は、移動交換装置１１と、アクセスポイント３を介した無線端末２との間に接続されている。アクセスポイント制御装置１０は、移動交換装置１１との間では、回線交換呼制御プロトコルを実行する。これに対し、無線端末２との間では、ＩＰ呼制御プロトコルのＳＩＰを実行する。即ち、アクセスポイント制御装置１０は、プロトコル変換のためのゲートウェイとして機能し、ＳＩＰ登録部を有する。
【００４０】
尚、基地局制御装置１２及びアクセスポイント制御装置１０は、パケット制御機能装置１３及びＰＤＳＮ５を介して、有線ＩＰネットワークに接続されていてもよい。このとき、有線ＩＰネットワークに接続される端末２は、基地局制御装置１２又はアクセスポイント制御装置１０を介して呼接続することもできる。例えば、回線交換呼接続プロトコルのメッセージを交換することができる端末２は、基地局制御装置１２を介して呼接続される。一方で、ＳＩＰのメッセージを交換することができる端末２は、アクセスポイント制御装置１０を介して呼接続される。
【００４１】
ここで、移動交換装置１１は、無線ＬＡＮに接続された無線端末２に対して、アクセスポイント制御装置１０を介して呼接続の着信を通知する。このとき、回線交換呼制御プロトコルにはページング要求（呼び出し要求）が規定されているのに対し、ＳＩＰにはそのようなメッセージが無い。従って、既存の回線交換呼制御プロトコルとの互換性を確保するために、新たにページング要求メッセージやページング応答メッセージに相当するＳＩＰメッセージを導入する必要がある。しかしながら、新たなメッセージの導入は、既存のＳＩＰ対応機器に対する互換性を損なうこととなる。そこで、本発明によれば、既存のＳＩＰ対応機器に対する互換性を損なうことなく、呼接続の着信の際におけるＳＩＰメッセージの新たなシーケンスを導入する。
【００４２】
図４は、本発明における呼接続時の着信のシーケンス図である。
【００４３】
（Ｓ４０１）移動交換装置１１は、アクセスポイント制御装置１０へ、呼び出し要求メッセージを送信する。回線交換呼制御プロトコルにおける呼び出し要求メッセージは、例えばページング要求(Paging Request)メッセージである。
（Ｓ４０２）アクセスポイント制御装置１０は、ページング要求メッセージを受信すると、セッション開始メッセージを、アクセスポイント３を介して無線端末２へ送信する。ＳＩＰにおけるセッション開始メッセージは、例えばINVITEメッセージである。このとき、本発明における無線端末２は、INVITEメッセージを受信しても、着信音を鳴動させない。
【００４４】
（Ｓ４０３）無線端末２は、INVITEメッセージに対する送達確認オプションを付した暫定応答メッセージを、アクセスポイント３を介してアクセスポイント制御装置１０へ送信する。暫定応答メッセージは、例えば、ＲＦＣ３２６２に規定される100relオプションを付した1xxである。暫定応答メッセージとは、リクエストが受信され、処理中であることを通知するメッセージである。この暫定応答メッセージを受信したアクセスポイント制御装置１０は、無線端末２がその無線ＬＡＮ通信エリア内に在圏していると認識することができる。
（Ｓ４０４）暫定応答メッセージを受信したアクセスポイント制御装置１０は、移動交換装置１１へ、ページング応答(Paging Response)メッセージを送信する。
【００４５】
（Ｓ４０５）その後、移動交換装置１１と、アクセスポイント制御装置１０との間で、携帯電話通信システムの整合をとるための通信割り当てメッセージを交換する。例えばリソース予約及び認証のシーケンスを実行する。
【００４６】
（Ｓ４０６）通信割り当てメッセージの交換が終了すると、アクセスポイント制御装置１０は、暫定応答確認メッセージを、アクセスポイント３を介して無線端末２へ送信する。暫定応答確認メッセージは、例えばＲＦＣ３２６２に規定されたＰＲＡＣＫ(Provisional Response ACKnowledgement)リクエストメッセージである。ＰＲＡＣＫリクエストは、暫定応答メッセージに対する応答受信の確認を通知するメッセージである。このとき、ＰＲＡＣＫリクエストメッセージを受信した無線端末２は、着信音を鳴動させる。これによって、利用者は、着信があったことを知ることができる。
（Ｓ４０７）着信音を確認した利用者は、無線端末２に対してオフフックの操作をする。このとき、無線端末２は、暫定応答確認メッセージに対する成功応答メッセージを、アクセスポイント制御装置１０へ送信する。成功応答メッセージは、例えば２００ＯＫメッセージである。
（Ｓ４０８）２００ＯＫメッセージを受信したアクセスポイント制御装置１０は、接続完了メッセージを、移動交換装置１１へ送信する。
【００４７】
（Ｓ４０９）前述したシーケンスによって、無線端末２と移動交換装置１１との間で呼接続され、相手方端末との間で通話がなされる。ここで、本発明の有効な点は、無線端末２の着信音が鳴動した際に、利用者が無線端末２に対してオフフックの操作をすると、直ぐに呼接続され、通話が可能となることにある。利用者にとって、無線端末２に対してオフフックの操作をしたにもかかわらず、直ぐに呼接続が完了せずに通話できないことは、極めて操作性に対するストレスを感じることとなる。
【００４８】
図５は、本発明におけるアクセスポイント制御装置及び無線端末の機能構成図である。
【００４９】
図５によれば、アクセスポイント制御装置１０は、呼び出し要求処理部１０１と、呼び出し応答処理部１０２と、通信割り当て代行部１０３と、接続要求処理部１０４と、接続完了処理部１０５と、呼接続部１０６とを有する。これら機能構成部は、アクセスポイント制御装置に搭載されたコンピュータを機能させるプログラムを実行することによって実現される。
【００５０】
呼び出し要求処理部１０１は、移動交換装置１１から呼び出し要求メッセージを受信した際に、セッション開始メッセージを端末２へ送信する。
【００５１】
呼び出し応答処理部１０２は、端末２からセッション開始メッセージに対する送達確認オプションを付した暫定応答メッセージを受信した際に、呼び出し応答メッセージを移動交換装置１１へ送信する。
【００５２】
通信割り当て代行部１０３は、移動交換装置１１との間で通信割り当てメッセージを交換する。具体的には、リソース予約・認証シーケンスを実行する。
【００５３】
接続要求処理部１０４は、通信割り当てメッセージの交換が終了すると、暫定応答確認メッセージを端末２へ送信する。
【００５４】
接続完了処理部１０５は、端末２から暫定応答確認メッセージに対する成功応答メッセージを受信した際に、接続完了メッセージを移動交換装置１１へ送信する。
【００５５】
呼接続部１０６は、端末２と移動交換装置１１との間で呼を接続する。
【００５６】
図５によれば、端末２は、呼び出し処理部２１と、接続処理部２２と、呼接続部２３と、着信音鳴動部２４とを有する。これら機能構成部は、端末に搭載されたコンピュータを機能させるプログラムを実行することによって実現される。
【００５７】
呼び出し処理部２１は、アクセスポイント制御装置１０からセッション開始メッセージを受信した際、そのセッション開始メッセージに対する送達確認オプションを付した暫定応答メッセージを、アクセスポイント制御装置１０へ返信する。このとき、呼び出し処理部２１は、着信音鳴動部２４に対して着信音を鳴動させないように制御する。
【００５８】
接続処理部２２は、アクセスポイント制御装置１０から暫定応答確認メッセージを受信した際に、その暫定応答確認メッセージに対する成功応答メッセージを、アクセスポイント制御装置１０へ返信する。このとき、接続処理部２２は、着信音鳴動部２４に対して着信音を鳴動させるように制御する。
【００５９】
最後に、利用者にとって、無線端末に対してオフフックの操作をしたにもかかわらず、直ぐに呼接続が完了せずに通話できない、不適切な２つのシーケンス例について説明する。これら２つのシーケンス例からみて、本発明における図４のシーケンスが、着信時の操作性において極めて有効であることが理解できる。
【００６０】
図６は、不適切な第１のシーケンス図である。
【００６１】
（Ｓ６０１）移動交換装置１１は、アクセスポイント制御装置１０へ、ページング要求を送信する。
（Ｓ６０２）アクセスポイント制御装置１０は、着信すべき無線端末２へ、INVITEメッセージを送信する。このとき、無線端末２は、INVITEメッセージを受信した際に着信音を鳴動させる。
（Ｓ６０３）着信音を確認した利用者は、無線端末２に対してオフフックの操作をする。このとき、無線端末２は、成功メッセージ２００ＯＫを、アクセスポイント制御装置１０へ送信する。
（Ｓ６０４）これに対し、アクセスポイント制御装置１０は、確認メッセージＡＣＫを、無線端末２へ返信する。
（Ｓ６０５）更に、アクセスポイント制御装置１０は、ページング応答を移動交換装置１１へ送信する。
（Ｓ６０６）その後、アクセスポイント制御装置１０と移動交換装置１１との間で、リソース予約・認証シーケンスを実行する。
（Ｓ６０７）そして、アクセスポイント制御装置１０が、移動交換装置１１へ接続完了を送信する。
（Ｓ６０８）前述したシーケンスによって、無線端末２と移動交換装置１１との間で呼接続され、相手方端末との間で通話がなされる。
【００６２】
図６について不適切な点は、利用者が、無線端末２に対してオフフックの操作をしたにもかかわらず、直ぐに通話ができないことにある。既存の携帯電話通信システムによれば、着信後、利用者が無線端末に対してオフフックの操作をすれば、直ぐに通話が可能となる。しかしながら、図６のような基本的なシーケンスを採用した場合、利用者のオフフックの操作から通話可能までの間に、リソース予約・認証シーケンスの実行の時間が確保されてしまう。
【００６３】
図７は、不適切な第２のシーケンス図である。
【００６４】
（Ｓ７０１）移動交換装置１１は、アクセスポイント制御装置１０へ、ページング要求を送信する。
（Ｓ７０２）これに対し、移動交換装置１１は、アクセスポイント制御装置１０へ、直ぐにページング応答を返信する。
（Ｓ７０３）その後、アクセスポイント制御装置１０と移動交換装置１１との間で、リソース予約・認証シーケンスを実行する。
（Ｓ７０４）そして、アクセスポイント制御装置１０は、着信すべき無線端末２へ、INVITEメッセージを送信する。このとき、無線端末２は、INVITEメッセージを受信した際に着信音を鳴動させる。
（Ｓ７０５）着信音を確認した利用者は、無線端末２に対してオフフックの操作をする。このとき、無線端末２は、成功メッセージ２００ＯＫを、アクセスポイント制御装置１０へ送信する。
（Ｓ７０６）これに対し、アクセスポイント制御装置１０は、確認メッセージＡＣＫを、無線端末２へ返信する。
（Ｓ７０７）更に、アクセスポイント制御装置１０は、接続完了を移動交換装置１１へ送信する。
（Ｓ７０８）前述したシーケンスによって、無線端末２と移動交換装置１１との間で呼接続され、相手方端末との間で通話がなされる。
【００６５】
図７については、利用者が無線端末２に対してオフフックの操作をすると、直ぐに通話ができる。しかしながら、図７について不適切な点は、Ｓ７１１〜Ｓ７１３（Ｓ７０１〜Ｓ７０３）まで実行し、アクセスポイント制御装置１０がINVITEメッセージを送信したにもかかわらず、無線端末２がアクセスポイント３の下に在圏していない場合、又は電源ＯＦＦにしている場合等があるからである。これらの場合、結局、呼接続は実行できず、Ｓ７１１〜Ｓ７１３のシーケンスが無駄となってしまう。
【００６６】
以上、詳細に説明したように、本発明の端末呼び出し方法、アクセスポイント制御装置、無線端末及びプログラムによれば、無線ＬＡＮを介して接続するＳＩＰを備えた無線端末を、回線交換呼接続プロトコルを用いた携帯電話通信システムのような既存の無線ＷＡＮに接続する際に、システムアーキテクチャを簡易にして低コスト化を実現すると共に、その無線端末への着信時に、既存の携帯電話通信システムと同様の操作性を実現する。本発明の構成によれば、アクセスポイント制御装置を備えるだけある。また、着信時に、利用者が無線端末に対してオフフックの操作をすると直ぐに通話が可能となる。更に、回線交換呼接続プロトコルに対応して特別のＳＩＰメッセージを設ける必要もない。
【００６７】
前述した本発明の種々の実施形態において、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【図面の簡単な説明】
【００６８】
【図１】ＣＤＭＡ２０００の移動通信システムにおける呼接続時の着信シーケンスである。
【図２】ＧＳＭの移動通信システムにおける呼接続時の着信シーケンスである。
【図３】本発明におけるシステム構成図である。
【図４】本発明における呼接続時の着信のシーケンス図である。
【図５】本発明におけるアクセスポイント制御装置及び無線端末の機能構成図である。
【図６】不適切な第１のシーケンス図である。
【図７】不適切な第２のシーケンス図である。
【符号の説明】
【００６９】
１  通信事業者設備システム
１０  アクセスポイント制御装置
１０１  呼び出し要求処理部
１０２  呼び出し応答処理部
１０３  通信割り当て代行部
１０４  接続要求処理部
１０５  接続完了処理部
１０６  呼接続部
１１  移動交換装置
１２  基地局制御装置
１３  パケット制御機能装置
１４  加入者情報データベース
２  無線端末、端末
２１  呼び出し処理部
２２  接続処理部
２３  呼接続部
２４  着信音鳴動部
３  アクセスポイント
４  基地局
５  ＰＤＳＮ
【図１】
0005184054.tif 000002
【図２】
0005184054.tif 000003
【図３】
0005184054.tif 000004
【図４】
0005184054.tif 000005
【図５】
0005184054.tif 000006
【図６】
0005184054.tif 000007
【図７】
0005184054.tif 000008